(57)【要約】【課題】リースとして特長を利用して生産管理および中古市場管理を効率的に行うことができる方法およびシステムを提供する。【解決手段】オペレータ（Ａ）に納入した無線システム３０２の使用状況に関する情報をＦＣ端末３０１によりネットワーク２０を通してファーキャストシステムサーバ１０３に入力する。ファーキャストシステムサーバ１０３は、使用状況に関する情報および製品情報に基づいて、オペレータ（Ａ）の無線システムの需要変動を予測する。さらに、無線システム３０２の使用状況および製品情報に基づいて、中古市場管理システムサーバ１０６は、売却されるべき無線システムを提示するための中古市場２０１をインターネット２０のウェブ上に提供する。【選択図】図１
2008217387.tif 000002
【特許請求の範囲】
【請求項１】
リース製品あるいはリース対象となる製品のフォーキャストシステムにおいて、
顧客に納入した前記リース製品の使用状況に関する情報をネットワークを通して入力する入力手段と、
前記使用状況に関する情報および前記リース製品情報に基づいて、前記顧客の前記リース製品あるいは前記リース対象となる製品の需要変動を予測する予測手段と、
を有することを特徴とするフォーキャストシステム。
【請求項２】
前記使用状況に関する情報および前記リース製品情報に基づいて、売却されるべき前記リース製品を提示するための中古市場をインターネットのウェブ上に提供する中古市場提供手段と、
を更に有することを特徴とする請求項１に記載のフォーキャストシステム。
【請求項３】
前記リース製品および前記リース対象となる製品は簡易型公共用無線機器であることを特徴とする請求項１または２に記載のフォーキャストシステム。
【請求項４】
インターネットのウェブ上で中古製品の売買を行うためのシステムにおいて、
顧客に納入したリース製品の使用状況に関する情報をネットワークを通して入力する入力手段と、
前記使用状況に関する情報および前記リース製品情報に基づいて、前記顧客の前記リース製品あるいはリース対象となる製品の需要変動を予測する予測手段と、
前記使用状況に関する情報および前記リース製品情報に基づいて、売却されるべき前記リース製品を提示するための中古市場をインターネットのウェブ上に提供する中古市場提供手段と、
を有することを特徴とする中古製品売買システム。
【請求項５】
前記リース製品および前記リース対象となる製品は簡易型公共用無線機器であることを特徴とする請求項４に記載の中古製品売買システム。
【請求項６】
インターネットのウェブ上で中古製品の売買を行うための方法において、
顧客に納入したリース製品の使用状況に関する情報をネットワークを通して入力し、
前記使用状況に関する情報および前記リース製品情報に基づいて、前記顧客の前記リース製品あるいはリース対象となる製品の需要変動を予測し、
前記使用状況に関する情報および前記リース製品情報に基づいて、前記中古市場をインターネットのウェブ上に提供する、
ことを特徴とする中古製品売買方法。
【請求項７】
前記リース製品および前記リース対象となる製品は簡易型公共用無線機器であることを特徴とする請求項６に記載の中古製品売買方法。
【発明の詳細な説明】
【技術分野】
【０００１】
本発明は製品の需要の変動などに対応するためのフォーキャストシステムおよび中古製品の売買方法およびシステムに関する。
【背景技術】
【０００２】
一般に、無線基地局のような無線通信機器を設置して公共用の携帯電話システムを構築しようとする場合、売買契約によってベンダから導入する取引形態では、携帯電話サービス運用会社（以下、オペレータという。）は相当の初期投資を負担しなければならない。大きな初期投資は、オペレータが既存の無線システムをその時々の需要に合わせて、新設、増設、交換または移設することを困難にする。
【０００３】
また、ベンダにとっては、無線システムを導入した後は、オペレータがメンテナンスや運用を行うために、オペレータの新規無線システム導入計画や増設計画などの将来計画を把握することができない。さらに、信用リスクの大きいオペレータには、限定された支払条件の下で比較的割高な取引しか行えないという問題もあった。
【０００４】
そこで、オペレータの初期投資を削減でき、その時々の需要に合わせた新設、増設、交換または移設を容易に実現させるだけでなく、副次的には、オペレータの固定費の削減にも貢献するという利点から、初期投資が大きな製品の取引形態を賃貸借契約（以下、リースという。）に変更することが考えられる。また、リース期間が満了して引き取られた製品は、中古市場での販売も計算に入れることができるというメリットがある。
【０００５】
たとえば、特許文献１には、リース契約、リース物件の登録、リース期間満了前の通知、そして引き取られた製品の廃棄までのリース管理を統一的に行うシステムが開示されている。また、特許文献２には、中古機械の取引をウェブサイト上で円滑に行うための中古機械取引システムが開示されている。さらに、特許文献３には、製品情報、製品稼動状況および顧客の要望などの情報を保守部門と営業部門とが共有し、コンカレント生産により製品リプレースの効率化を図るリプレース生産管理システムが開示されている。
【０００６】
【特許文献１】特開２００２−３１８９７８号公報
【特許文献２】特開２００３−７６８６９号公報
【特許文献３】特開２００４−１３９３６３号公報
【発明の開示】
【発明が解決しようとする課題】
【０００７】
しかしながら、特許文献１のリース管理システムは、リースの申込みから廃棄までをシステム的に統一したものであり、煩雑なリースの資産管理を容易化する手法の提案に止まっている。特許文献２の中古機械取引システムは、購入希望者がウェブサイト上で現物をライブで確認して売買取引を行うことを特徴としており、中古市場をウェブ上で提供するだけである。特許文献３のリプレース生産管理システムは、販売された製品の稼動状況をみてタイムリーなリプレースを実現するものであるが、製品に関する情報は顧客の許可を受けて収集する必要があり、十分な情報収集により的確な提案できるとは限らない。
【０００８】
このように従来のシステムでは、リースの特長を十分に利用していない上に、リースと中古市場および生産管理とを効果的に組み合わせる発想がなかった。
【０００９】
本発明の目的は、リースの特長を利用して生産管理あるいは中古製品の売買を効率的に行うことができる方法およびシステムを提供することにある。
【課題を解決するための手段】
【００１０】
本発明によれば、リース製品のリース期間中の保守運用情報をフォーキャストシステムあるいは中古市場管理システムに連動させることで、効率的な生産管理あるいは中古製品売買を行うことができる。
【００１１】
本発明の一側面によれば、リース製品あるいはリース対象となる製品のフォーキャストシステムは、顧客に納入した前記リース製品の使用状況に関する情報をネットワークを通して入力する入力手段と、前記使用状況に関する情報および前記リース製品情報に基づいて、前記顧客の前記リース製品あるいは前記リース対象となる製品の需要変動を予測する予測手段と、を有することを特徴とする。さらに、前記使用状況に関する情報および前記リース製品情報に基づいて、売却されるべき前記リース製品を提示するための中古市場をインターネットのウェブ上に提供する中古市場提供手段を設けることができる。
【００１２】
本発明の他の側面によれば、インターネットのウェブ上で中古製品の売買を行うためのシステムは、顧客に納入したリース製品の使用状況に関する情報をネットワークを通して入力する入力手段と、前記使用状況に関する情報および前記リース製品情報に基づいて、前記顧客の前記リース製品あるいはリース対象となる製品の需要変動を予測する予測手段と、前記使用状況に関する情報および前記リース製品情報に基づいて、売却されるべき前記リース製品を提示するための中古市場をインターネットのウェブ上に提供する中古市場提供手段と、を有することを特徴とする。
【００１３】
リース製品あるいはリース対象製品は、売買契約で挿入すれば初期投資が大きくなる製品であり、たとえば簡易型公共用無線機器（以下、無線システム）である。このような無線システムをベンダは長期間にわたってオペレータにリースで提供することが望ましい。
【発明の効果】
【００１４】
本発明によれば、顧客に納入したリース製品の使用状況に関する情報やリース製品情報に基づいて、顧客のリース製品あるいはリース対象となる製品の需要変動を予測することで、導入する際の初期投資を削減でき、その時々の需要に合わせた新設、増設、交換または移設を容易に実現することが可能となり、さらに顧客の固定費の削減にも貢献する。
【００１５】
また、リース製品の使用状況に関する情報やリース製品情報を利用して中古製品売買のためのウェブサイトを構築することで、減価償却の近いリース用無線システムあるいはリース期間満了で引き取られた製品を中古品として格安で売買することが可能となる
たとえば、ベンダは、リース期間中にメンテナンス及び運用サービスを提供することで、無線システムの使用状況及び携帯電話サービスに関わる需要変動を把握し、それらの情報とベンダのフォーキャストシステムを連動させ、適時、オペレータの潜在的なニーズに合わせた新規無線システム導入計画や増設計画などの将来計画を提案することができる。
【００１６】
また、本発明による中古製品売買システムによれば、減価償却の近いリース用無線システムを格安で売買することが可能となる。特に、信用リスクの高いオペレータに対しても、ウェブ上に減価償却の近いリース用無線システムや他のオペレータが売却を希望している無線システムを中古品として売買するためのプラットフォーム(中古市場)を構築することで、限定された支払条件の下で容易に取引できる価格を提供できる。
【発明を実施するための最良の形態】
【００１７】
１．システム構成
図１は本発明の一実施形態によるリース製品のフォーキャスト管理および中古市場管理システムを示す概略的ブロック図である。ここではベンダ１０がオペレータ（Ａ）に簡易型公共用無線機器を長期間にわたるリースで提供した場合を一例として説明する。簡易型公共用無線機器は、携帯電話システムの基地局と中継局を結ぶ伝送路として、携帯電話サービス運用会社により使用され、伝送容量は大きくないが小型で、設置、メンテナンス及び運用が容易なことが特徴である。リースされる簡易型公共用無線機器（以下、無線システム３０２という。）は、オペレータ（Ａ）の用途に応じて、周波数帯、伝送容量、オプションが設定されている。ここで定義する無線システムは、無線機器だけでなく、付随するアンテナ、フィーダー、付属品などを含む。
【００１８】
また、ベンダ１０は無線システム３０２をオペレータ（Ａ）にリースしているので、オペレータ（Ａ）に対して、リース期間中に、契約条項に基づくメンテナンスおよび運用サービスを提供するものとする。
【００１９】
１．１）ベンダ
図１において、ベンダ１０が使用するリース管理システムサーバ１０１はプログラムで制御されたコンピュータなどの情報処理装置であり、ネットワーク（ここではインターネット）２０に接続している。リース管理システムサーバ１０１は、リースに関する契約条項、オペレータに関する情報（信用リスクを含む）、後述するフォーキャストシステムサーバ１０３から入力するリース物件の使用状況やリース物件情報（無線システムの仕様、形式、価格、生産スケジュール、製造年月日など）などをメモリ１０２に格納しリース管理を実行する。たとえば、リース管理システムサーバ１０３は、リース期間満了が近いリース物件あるいは減価償却の近いリース物件があれば、そのオペレータに対して、売却の提案などをネットワーク２０を通して通知することができる。
【００２０】
ベンダ１０が使用するフォーキャスト（ＦＣ）システムサーバ１０３は、プログラムで制御されたコンピュータなどの情報処理装置であり、ネットワーク２０に接続している。フォーキャストシステムサーバ１０３は、後述するフォーキャストシステム端末（ＦＣ端末）３０１から入力される無線システムの使用状況や携帯電話サービスに関する需要変動などの情報をメモリ１０４に格納し、それらを体系的に管理することで、推定リース開始日、推定数量、推定周波数帯、推定伝送容量、推定システム構成、推定アンテナ・サイズ、推定フィーダー長など、オペレータ（Ａ）の潜在的なニーズを推測する。こうして得られた推定データに基づいて、無線システム生産スケジューラ１０５は近い将来必要とされる無線システムを製造するための生産スケジュールを生成して、リース管理システムサーバ１０３にフィードバックする。
【００２１】
ベンダ１０が使用する中古市場管理システムサーバ１０６はプログラムで制御されたコンピュータなどの情報処理装置であり、ネットワーク２０に接続してウェブ上にプラットフォーム（中古市場）２０１を提供する。中古市場管理システムサーバ１０６は、中古物件情報や顧客情報などを格納したメモリ１０７を用いて、メンバ登録されたオペレータ端末からの接続を許可し、売買契約の対象となるリース物件（無線システム）に関する情報(仕様、形式、価格、製造年月日、取引可能予定日など)をウェブ上のプラットフォーム２０１に開示する。リース物件に関する情報はリース管理システムサーバ１０１から提供される。また、メンバ登録されたオペレータが売却を希望している無線システムに関する情報(仕様、形式、価格、製造年月日、取引可能予定日など)も同じくウェブ上のプラットフォーム２０１に開示する。このようにベンダ１０はプラットフォーム２０１を介して中古物件の売買契約を仲介することができる。
【００２２】
なお、リース管理システムサーバ１０１、フォーキャストシステムサーバ１０３および中古市場管理システムサーバ１０６は、ベンダ１０のプライベートネットワークで接続されていてもよいし、ネットワーク２０を通して互いに通信するように構成することもできる。
【００２３】
１．２）オペレータ
オペレータ（Ａ）は、ベンダ１０からリースされた無線システム３０２を用いて携帯電話サービスなどを提供するが、リース物件である無線システム３０２の保守運用サービスはベンダ１０により提供される。この意味で、後述するフォーキャストシステム端末３０１と無線システム３０２とはベンダ１０のネットワークにも属している。
【００２４】
ベンダ１０が使用するフォーキャストシステム端末（以下、ＦＣ端末という。）３０１は、プログラムで制御されるコンピュータなどの情報処理装置であり、ネットワーク２０に接続している。ＦＣ端末３０１は、リース期間中に行われるメンテナンス・サービスの一環として、リースされた無線システム３０２の使用状況および携帯電話サービスに関する需要変動などのデータをチェック項目として確認し、ネットワーク２０を通してフォーキャストシステムサーバ１０３へ通知する。
【００２５】
あるいは、ベンダ１０から派遣されたメンテナンス要員がメンテナンス及び運用サービスから得られる情報に基づき、推定リース開始日、推定数量、推定周波数帯、推定伝送容量、推定システム構成、推定アンテナ・サイズ、推定フィーダー長などの情報をＦＣ端末３０１からネットワーク２０を通してフォーキャストシステムサーバ１０３へ通知してもよい。
【００２６】
また、オペレータ（Ａ）が自ら所有する無線システムをプラットフォーム２０１を介して売却したい場合には、ベンダ１０から派遣されたメンテナンス要員が当該無線システムを調査し、ＦＣ端末３０１から当該無線システムに関する情報（様、形式、使用状態、製造年月日、取引可能予定日など）を中古市場管理システムサーバ１０６へ送信し、メモリ１０７に登録することもできる。
【００２７】
オペレータ（Ａ）が使用するオペレータ端末３０３は、プログラムで制御されるコンピュータなどの情報処理装置であり、ネットワーク２０に接続している。オペレータ（Ａ）は、このオペレータ端末３０３を介して、ベンダ１０の中古市場管理システムサーバ１０６にアクセスし、売買契約の対象となる無線システム（他のオペレータが売却を希望している無線システムを含む）に関する情報をウェブ上のプラットフォーム２０１から観覧することが可能である。また、オペレータ（Ａ）はプラットフォーム２０１を通してベンダ１０の仲介を受け中古品の売買を行うことができる。
【００２８】
なお、本実施形態では、ベンダ１０にとって、オペレータ（Ａ）は信用リスクが小さいので無線システム３０２のリースが許可されているが、別のオペレータ（Ｂ）は信用リスクが大きいためにベンダ１０から無線システムのリースを受けられないものとする。
【００２９】
オペレータ（Ｂ）が使用するオペレーター端末３０４もプログラムで制御されるコンピュータなどの情報処理装置であり、ネットワーク２０に接続している。オペレータ（Ｂ）も、オペレータ端末３０４を用いてベンダ１０の有する中古市場管理システムサーバ１０６にアクセスし、売買契約の対象となる無線システム（他のオペレーターが売却を希望している無線システムを含む）に関する情報をウェブ上のプラットフォーム２０１から観覧することができる。また、オペレータ（Ｂ）は、信用リスクが大きいためにベンダ１０からリースは受けられないが、プラットフォーム２０１を介してベンダ１０の仲介で中古品の売買はできるものとする。
【００３０】
１．３）フォーキャスト管理／中古市場管理
本実施形態によれば、リース期間中の無線システム３０２のメンテナンスおよび運用サービスから得られる情報がＦＣ端末３０１を通してフォーキャストシステムサーバ１０３へ送信されフォーキャスト管理に利用され、中古市場管理にも利用される。たとえば、中古市場管理システムサーバ１０６は、減価償却の近いリース用無線システムを知ることができるので、このようなリース物件やオペレータが売却を希望している無線システムを中古品として売買するプラットフォーム２０１を構築することができる。これによって、ベンダ１０はオペレータ（Ａ）あるいは（Ｂ）の初期投資を削減できると共に、フォーキャスト管理により、オペレータに新規無線システム導入計画や増設計画などの将来計画をタイムリーに提案することも可能となる。また、信用リスクの大きいオペレータであっても、プラットフォーム２０１を介した仲介を行うことで、限定された支払条件の下で容易に取引できる価格の提案が可能となる。
【実施例】
【００３１】
図２は本発明の一実施例によるリース製品のフォーキャスト管理および中古市場管理のフローを示す概略的フローチャートである。ただし、本実施例は図１に示すシステム上で構成されるものとし、従って同一のブロックおよびネットワークには同一の参照番号あるは参照符号を付している。
【００３２】
図２に示すように、本実施例によるシステムは、ベンダ１０の有するネットワークと、ベンダ１０とオペレータ（Ａ）および（Ｂ）とが共有するネットワーク（プラットフォーム２０１）とから構成される。ベンダ１０の有するネットワークの一部は、オペレータ（Ａ）のネットワークに組み込まれており、ベンダ１０の有するサーバ１０１、１０３とインターネットなどのネットワーク２０によって相互に接続されている。ベンダ１０とオペレータ（Ａ）および（Ｂ）が共有するプラットフォーム２０１も、ベンダ１０の有する中古市場管理システムサーバ１０６とオペレータ（Ａ）および（Ｂ）の有する端末３０３および３０４がインターネットなどのネットワーク２０で相互に接続されている。
【００３３】
本実施例によるフォーキャスト管理および中古市場管理方法は、以下の手順で実行される。
【００３４】
（１）まずベンダ１０とオペレータ（Ａ）は、各々の契約条項の下で、リースを締結する。リースに関わる契約条項、オペレータ（Ａ）に関する情報、リースされる無線システム３０２に関する情報はベンダ２０の有するリース管理システムサーバ１０１で管理される。
【００３５】
（２）次にベンダ１０は、各々の契約条項に基づき、無線システム３０２をオペレータ（Ａ）にリースする。リースされる無線システム３０２は、オペレータ（Ａ）の用途に応じて、周波数帯、伝送容量、オプションが設定される。
【００３６】
（３）リース期間中には、各々の契約条項に基づき、ベンダ１０からメンテナンスおよび運用サービスが提供される（メンテナンス・サービス４０１）。
【００３７】
（４）リース期間中に行われるメンテナンス・サービス４０１の一環として、リースされた無線システム３０２の使用状況および携帯電話サービスに関する需要変動などがチェック項目としてＦＣ端末３０１により確認され、フォーキャストシステムサーバ１０３へ送信される（ステップ４０２）。
【００３８】
（５）フォーキャストシステムサーバ１０３は、ＦＣ端末３０１から受信した情報を体系的に管理し、推定リース開始日、推定数量、推定周波数帯、推定伝送容量、推定システム構成、推定アンテナ・サイズ、推定フィーダー長などの情報を推定し、オペレータ（Ａ）の潜在的なニーズを推測して、近い将来、必要とされる無線システムを製造するために必要な生産スケジュールを計画してリース管理システムサーバ１０１にフィードバックする（ステップ４０３）。
【００３９】
あるいは、ベンダ１０から派遣されたメンテナンス要員が、メンテナンス・サービス４０１から得られる情報から、推定リース開始日、推定数量、推定周波数帯、推定伝送容量、推定システム構成、推定アンテナ・サイズ、推定フィーダー長などの情報をＦＣ端末３０１を通してフォーキャストシステムサーバ１０３へ送信してもよい（ステップ４０５）。
【００４０】
（６）中古市場管理システムサーバ１０６は、管理するメンバ登録されたオペレータ（Ａ）および（Ｂ）が有する端末３０３および３０４からの接続を許可し（ステップ４０５、４０６）、リース管理システムサーバ１０１から提供される売買契約の対象となるリース用無線システム３０２に関する情報をウェブ上に設けられたプラットフォーム２０１開示する（ステップ４０７）。また、中古市場管理システムサーバ１０６が管理するメンバ登録されたオペレータ（Ａ）あるいは（Ｂ）が売却を希望している無線システムに関する情報もこのウェブ上のプラットフォーム２０１に開示する。
【００４１】
（７）ベンダ１０はプラットフォーム２０１を介して売買契約を仲介する。売買契約には次の２つのケースがある。第１のケースは、オペレータ（Ｂ）が売買契約の対象となるリース用無線システムをベンダ１０から購入する場合である。第２のケースは、オペレータ（Ａ）が自ら所有する無線システムをプラットフォーム２０１を介して売却し、オペレータ（Ｂ）がプラットフォーム２０１を介してその無線システムをオペレータ（Ａ）から購入する場合である。以下、この２つのケースについて説明する。
【００４２】
（７．１）ベンダからの購入
図３はオペレータが売買契約の対象となるリース用無線システムをベンダから購入する場合の手順を示すフローチャートである。まず、オペレータ（Ｂ）はオペレータ端末３０４を介して、中古市場管理システムサーバ１０６にアクセスし、売買契約の対象となるリース用無線システムに関する情報をウェブ上のプラットフォーム２０１から観覧する（ステップ５０１）。次に、オペレータ（Ｂ）は購入に適当な無線システムが見つかれば、購入の意志をウェブ上で表明する（ステップ５０２）。その後、ベンダ１０とオペレータ（Ｂ）は売買契約を結び（ステップ５０３）、各々の契約条項に基づき、ベンダ１０は納入前に当該無線機に適当な整備を施して一定の仕様を満たすようにした後（ステップ５０４）、ベンダ１０からオペレータ（Ｂ）に当該無線システムが納入される（ステップ５０５）。
【００４３】
（７．２）ベンダを介したオペレータ間の売買
図４はベンダを介してオペレータ間で売買する場合の手順を示すフローチャートである。まず、オペレータ（Ａ）はオペレータ端末３０３を介して、中古市場管理システムサーバ１０６にアクセスし、ウェブ上のプラットフォーム２０１から、自ら所有する無線システムの売却の意思を表明する（ステップ６０１）。オペレータ（Ａ）から売却の意志表明を受けたベンダ１０は、当該無線システムに関する項目（仕様、形式、使用状態、製造年月日、取引可能予定日など）の情報をＦＣ端末３０１から中古市場管理システムサーバ１０６へ送信させる（ステップ６０２）。あるいは、オペレータ（Ａ）に派遣しているメンテナンス要員に指示し、メンテナンス要員に同様の項目を調査させ、ＦＣ端末３０１から中古市場管理システムサーバ１０６へ送信させる。
【００４４】
その後、ベンダ１０からオペレータ（Ａ）に当該無線システムの売価と売却に必要な諸費用（整備費用を含む）および支払条件などの契約条項が提示される（ステップ６０３）。売価は売買契約の対象となるリース用無線システムの売価基準を参考に設定される。オペレータ（Ａ）がベンダ１０から提示された売価と諸費用およびその他の契約条項とに合意すれば（ステップ６０４）、一定期間、オペレータ（Ａ）の所有する無線システムに関する情報（仕様、形式、価格、製造年月日、取引可能予定日など）がウェブ上のプラットフォーム２０１に開示される（ステップ６０５）。
【００４５】
もし開示期間中に、オペレータ（Ｂ）が端末３０４を通して購入の意志をウェブ上で表明すれば（ステップ６０６）、ベンダ１０とオペレータ（Ａ）は売買契約を結び（ステップ６０７）、各々の契約条項に基づき、オペレータ（Ａ）からベンダ１０に当該無線システムが引き渡される（ステップ６０９）。
【００４６】
ベンダ１０は、オペレータ（Ｂ）と売買契約を結んだ後（ステップ６０８）、引き取った当該無線機に適当な整備を施し（ステップ６１０）、各々の契約条項に基づき、ベンダ１０からオペレータ（Ｂ）に当該無線システムが納入される（ステップ６１１）。
【００４７】
以上説明したように、本実施例によれば、次のような効果を得ることができる。
【００４８】
ベンダ１０は、無線システムを導入する際のオペレータの初期投資を削減でき、その時々の需要に合わせた新設、増設、交換または移設を容易に実現させるだけでなく、副次的には、オペレータの固定費の削減にも貢献する。
【００４９】
また、ベンダ１０は、リース期間中にメンテナンス及び運用サービスを提供することで、無線システムの使用状況及び携帯電話サービスに関わる需要変動を把握し、それらの情報にベンダ１０のフォーキャストシステムを連動させ、適時、オペレータの潜在的なニーズに合わせた新規無線システム導入計画や増設計画などの将来計画を提案することができる。
【００５０】
さらに、プラットフォーム２０１を通して減価償却の近いリース用無線システムを格安で売買することが可能である。すなわち、ウェブ上に減価償却の近いリース用無線システムや他のオペレータが売却を希望している無線システムを中古品として売買するプラットフォーム(中古市場)を構築することによって、ベンダ１０は、信用リスクの高いオペレータ（Ｂ）に対しても容易に取引できる価格を提供することができる。
【産業上の利用可能性】
【００５１】
本発明は、携帯電話サービス運用会社がネットワークに無線システムを導入あるいは撤去したり、または拡張や縮小したりする場合など、如何なるフェーズに対しても適用することが可能である。
【図面の簡単な説明】
【００５２】
【図１】本発明の一実施形態によるリース製品のフォーキャスト管理および中古市場管理システムを示す概略的ブロック図である。
【図２】本発明の一実施例によるリース製品のフォーキャスト管理および中古市場管理のフローを示す概略的フローチャートである。
【図３】オペレータが売買契約の対象となるリース用無線システムをベンダから購入する場合の手順を示すフローチャートである。
【図４】ベンダを介してオペレータ間で売買する場合の手順を示すフローチャートである。
【符号の説明】
【００５３】
１０  ベンダ
２０  ネットワーク（インターネット)
１０１  リース管理システムサーバ
１０３  フォーキャストシステムサーバ
１０６  中古市場管理システムサーバ
２０１  プラットフォーム（中古市場）
３０１  フォーキャストシステム端末
３０２  無線システム（リース物件）
３０３  オペレータ端末
３０４  オペレータ端末
【図１】
2008217387.tif 000003
【図２】
2008217387.tif 000004
【図３】
2008217387.tif 000005
【図４】
2008217387.tif 000006